(57)【要約】【課題】単にＩＤカードを利用して入退出者のチェックをするだけでなく、撮影機能を備え、入退出者を撮影して保存しておくと共に、異常状況を発見した場合には予め登録されている管理者に通報し、また保存されているデータを前記管理者により検索できるようにすること。【解決手段】サーバ機能、撮影機能、時計機能、ＩＤ読取機能を有し、ＩＤ読取機能により読取ったＩＤを確認する機能、入退出者を撮影する機能、撮影したものに時刻とＩＤを付加してサーバに情報を格納する機能を有し、ＩＤ読取機能により読取ったＩＤが登録済みでない場合は異常表示し、撮影したものに異常表示と時刻とＩＤと付加情報を付加して、サーバに情報を格納する機能及び管理者に通知する機能を有し、また、通信端末を用いてサーバに格納された内容を、検索し、表示する機能を有するようにした。【選択図】        図２
2004151934.tif 000002
【特許請求の範囲】
【請求項１】
サーバ機能、撮影機能、時計機能、ＩＤ読取機能を有し、ＩＤ読取機能により読取ったＩＤを確認する機能及び入退出者を撮影する機能並びに撮影したものに時刻とＩＤを付加してサーバに情報を格納する機能を有する、
ことを特徴とする入退出管理システム。
【請求項２】
請求項１に記載の入退出管理システムにおいて、
ＩＤ読取機能により読取ったＩＤが登録済みでない場合、入退出者を撮影し、撮影したものに異常表示と時刻とＩＤと付加情報を付加して、サーバに情報を格納する機能を有する、
ことを特徴とする入退出管理システム。
【請求項３】
請求項２に記載の入退出管理システムにおいて、
異常表示の付いた格納内容を、既登録の連絡先へ通知する機能を有する、
ことを特徴とする入退出管理システム。
【請求項４】
請求項１に記載の入退出管理システムにおいて、
格納内容を既登録の連絡先へ通知する機能を有する、
ことを特徴とする入退出管理システム。
【請求項５】
請求項１又は請求項２に記載の入退出管理システムにおいて、
通信端末を用いてサーバに格納された内容を、検索し、表示する機能を有する、
ことを特徴とする入退出管理システム。
【請求項６】
請求項５に記載の入退出管理システムにおいて、
通信端末を用いてサーバに接続する場合、既登録の管理者のＩＤか否かをチェックする機能を有し、正常な場合は接続し、異常の場合には、サーバに接続せず、既登録の管理者に通知する機能を有する、
ことを特徴とする入退出管理システム。
【発明の詳細な説明】
【０００１】
【発明の属する技術分野】
本発明は、入退出管理システムに関する。
【０００２】
【従来の技術】
ＩＤカードを利用して入退出者の管理をする方法乃至システムは、下記の特許文献に開示されている。
【０００３】
【特許文献１】
特開平４−２１７０９０号公報
【０００４】
【発明が解決しようとする課題】
本発明は、単にＩＤカードを利用して入退出者のチェックをするだけでなく、撮影機能を備え、入退出者を撮影して保存しておくと共に、異常状況を発見した場合には予め登録されている管理者に通報し、また保存されているデータを前記管理者により検索できるようにすることを目的とする。
【０００５】
【課題を解決するための手段】
上記目的を達成するために、本発明の入退出管理システムは、サーバ機能、撮影機能、時計機能、ＩＤ読取機能を有し、ＩＤ読取機能により読取ったＩＤを確認する機能及び入退出者を撮影する機能並びに撮影したものに時刻とＩＤを付加してサーバに情報を格納する機能を有するようにした。
【０００６】
また、ＩＤ読取機能により読取ったＩＤが登録済みでない場合、入退出者を撮影し、撮影したものに異常表示と時刻とＩＤと付加情報を付加して、サーバに情報を格納する機能を有するようにした。
また、異常表示の付いた格納内容を、既登録の連絡先へ通知する機能を有するようにした。
さらに、格納内容を既登録の連絡先へ通知する機能を有するようにした。
【０００７】
さらに、通信端末を用いてサーバに格納された内容を、検索し、表示する機能を有するようにした。
さらにまた、通信端末を用いてサーバに接続する場合、既登録の管理者のＩＤか否かをチェックする機能を有し、正常な場合は接続し、異常の場合には、サーバに接続せず、既登録の管理者に通知する機能を有するようにした。
【０００８】
【発明の実施の形態】
本発明の実施の形態を実施例にもとづき図面を参照して説明する。
図１は入退出管理システムの概念図である。
１は入退出ゲートに設置されている入退出管理装置であり、サーバ１１、ＩＤ読取部１２、撮影部１３、タイマ１４、電源部１５等を備える。２は予めサーバ１１に登録されている管理者で、ＰＣ（パソコン）２１、携帯電話機２２等の通信端末を有する。３は通信ネットワークである。
入退出管理装置１と管理者の携帯端末とは、通信ネットワーク３を介して情報を送受信可能に接続されている。
【０００９】
入退出予定者のＩＤ（個人情報）と管理者の個人情報（ＩＤと連絡先）は、初期設定により、予めサーバ１１に登録（格納）されている。
また入退出者はＩＤカードを所持し、入退出ゲートを通過する際に、ＩＤ読取部１２によりＩＤが読取られると共に撮影部１３により写真撮影され、これらのＩＤと写真、そのときのタイマ１４の時刻は、該入退出者の個人情報としてサーバ１１に登録（格納）される。
サーバ１１に登録（格納）されている個人情報は、上記管理者のみによりサーバ１１にアクセスし、読み出すことができる。
【００１０】
図２は本システムによる入退出時の処理のフロー図である。
入退出者が入退出ゲートに来ると、ステップＳ２０で処理がスタートする。
ステップＳ２１でＩＤ読取部１２により所持しているＩＤカード（例えば、ＩＤを記録したタイムカードであってもよい。）のＩＤを読取り、ステップＳ２２でそのＩＤが登録済みのものかチェックし、そうであればステップＳ２３で撮影部１３により写真撮影をし、ステップＳ２４で撮影した写真にそのときの時刻と読取ったＩＤを付加し、個人情報としてサーバ１１にデータ登録する。なお、登録したデータは、必要に応じて予め登録された管理者に連絡される。
【００１１】
ステップＳ２２のチェックでノーであれば、ステップＳ２５で撮影部１３により写真撮影をし、ステップＳ２６で撮影した写真にそのときの時刻と読取ったＩＤと異常表示、その他の付加情報を付加し、個人情報としてデータ登録し、ステップＳ２７で予め登録された管理者２に登録したその個人情報を連絡する。これにより管理者は登録されていないＩＤカードを持った入退出者があったことを知る。
ステップＳ２８で処理を終了する。
【００１２】
図３は管理者２がサーバに登録されている情報を読み出す場合の処理のフロー図である。
ステップＳ３０で処理がスタートし、ステップＳ３１で管理者２は通信端末を用いて本システム（サーバ１１）に接続する。この場合ステップＳ３２で接続してきた者がサーバ１１のＤＢ（データベース）に登録された管理者かチェックし、そうであれば接続が認められて、ステップＳ３３でＤＢに登録された情報を読出し、通信端末に送信する。
ステップＳ３４でこの情報が通信端末に表示され、ステップＳ３６で処理を終了する。
【００１３】
ステップＳ３２でノーであれば、ステップＳ３５でサーバに接続せず、登録されている管理者に正当でない者からの接続要求があったことを通知（連絡）し、ステップＳ３６で処理を終了する。
これによりサーバに登録されている情報は登録されている管理者以外の者によって読み出されることはなく、サーバに登録されている個人情報が外部に漏れることはない。
【００１４】
【発明の効果】
本発明によれば、入退出ゲートを通過する者全員のデータが保存されるので、入退出状況をチェックでき、またサーバに登録された者と登録されていない者（部外者）とのチェックが可能であり、さらに保存されているデータを原因究明の資料の１つにすることができる。また登録された個人情報は漏れることがない。
【図面の簡単な説明】
【図１】入退出管理システムの概念図である。
【図２】本システムによる入退出時の処理のフロー図である。
【図３】管理者２がサーバに登録されている情報を読出す場合の処理のフロー図である。
【符号の説明】
１  入退出管理装置
１１  サーバ
１２  ＩＤ読取部
１３  撮影部
１４  タイマ
１５  電源部
２  管理者
２１  ＰＣ（パソコン）
２２  携帯電話機
３  通信ネットワーク
【図１】
2004151934.tif 000003
【図２】
2004151934.tif 000004
【図３】
2004151934.tif 000005